(57)【要約】【課題】靴底の上面の広域を利用した効果的な装飾性を発揮させながらも、剥離を招来し難い形態で安価に製造する。【解決手段】合成樹脂製の靴底１と少なくとも底面部２Ａが透明な合成樹脂製の靴本体２とを、当該靴本体２の樹脂成形時に融着させてある靴であって、靴底１の上面１ａのうち、それの周縁に沿う周縁上面部分１Ａを、靴底１と靴本体２の底面部２Ａとの融着面に構成し、靴底１の上面１ａにおける周縁上面部分１Ａ以外の全領域を図柄印刷領域１Ｂに構成してある。【選択図】図２
2016030134.tif 000002
【特許請求の範囲】
【請求項１】
合成樹脂製の靴底と少なくとも底面部が透明な合成樹脂製の靴本体とを、当該靴本体の樹脂成形時に融着させてある靴であって、
前記靴底の上面のうち、それの周縁に沿う周縁上面部分を、前記靴底と前記靴本体の底面部との融着面に構成し、前記靴底の上面における前記周縁上面部分以外の全領域を図柄印刷領域に構成してある靴。
【請求項２】
前記周縁上面部分が、前記靴底の上面の全周縁に沿って環状に構成されている請求項１記載の靴。
【請求項３】
前記図柄印刷領域中には、前記靴底と前記靴本体の底面部との融着面を構成する非印刷面が形成されている請求項１又は２記載の靴。
【請求項４】
前記周縁上面部分のうち、剥離外力の作用頻度の高い部位が他の部位よりも幅広に構成されている請求項１、２又は３記載の靴。
【発明の詳細な説明】
【技術分野】
【０００１】
本発明は、主として、浴室等の水処理場で使用される合成樹脂製の靴で、詳しくは、合成樹脂製の靴底と底面部を備えた合成樹脂製の靴本体とを、当該靴本体の樹脂成形時に融着させてある靴に関する。
【背景技術】
【０００２】
上記靴の製作手法としては、一般にブロー成形が採用されている。このブロー成形では、靴本体を成形する金型のキャビティ内のインサート保持部に、予め製作されている靴底を保持させ、金型のキャビティ内に供給された透明な溶融樹脂のパリソンを圧力空気で膨張させることにより、成形品の靴本体の底面部と靴底とを融着して一体化している。
【０００３】
靴の装飾性を高める方法として、靴底の上面のうち、靴本体の足挿入口に相対向する踵側部位の中央部分に、靴本体の樹脂の溶融温度よりも高い溶融温度の材料（樹脂やアルミニウム等）でシート状又は板状に形成され、且つ、その表面に図柄を印刷してある印刷シールを接着剤で貼り付け、この状態で金型のキャビティ内のインサート保持部に保持してブロー成形する方法が提案されている（例えば、特許文献１参照）。
【先行技術文献】
【特許文献】
【０００４】
【特許文献１】特開２００３−２９１２２７号公報
【発明の概要】
【発明が解決しようとする課題】
【０００５】
従来の装飾性を高めた靴では、靴底とは別に印刷シールを作成し、この印刷シールを靴底の上面の踵側部位の中央部分に接着剤で貼り付ける必要があるため、靴の製造コストが上昇し易い。
しかも、印刷シールは靴本体の樹脂の溶融温度よりも高い溶融温度の材料で製作されるため、成形品の靴本体の底面部と靴底との間における印刷シールの封入部位での接合力が低下することは避けられない。
そのため、印刷シールの封入位置が、靴本体の足挿入口に相対向する靴底の上面の踵側部位に限定されることになり、装飾性が低くなっていた。
【０００６】
この実情に鑑み、本発明の主たる課題は、靴底の上面の広域を利用した効果的な装飾性を発揮させながらも、剥離を招来し難い形態で安価に製造することのできる靴を提供する点にある。
【課題を解決するための手段】
【０００７】
本発明による第１の特徴構成は、合成樹脂製の靴底と少なくとも底面部が透明な合成樹脂製の靴本体とを、当該靴本体の樹脂成形時に融着させてある靴であって、
前記靴底の上面のうち、それの周縁に沿う周縁上面部分を、前記靴底と前記靴本体の底面部との融着面に構成し、前記靴底の上面における前記周縁上面部分以外の全領域を図柄印刷領域に構成してある点にある。
【０００８】
上記構成によれば、靴底の上面のうち、それの周縁に沿う周縁上面部分を除く広域を図柄印刷領域に設定することによって、装飾効果を顕著に高めることができる。
この広域の図柄印刷領域に印刷されるインク層が接合力を弱める働きをするものの、ある程度の接合力は維持しており、しかも、靴底の上面のうち、それの周縁に沿う周縁上面部分には印刷インク層が存在しないので、この周縁上面部分での融着による接合強度が高く、靴底と靴本体の底面部との外周縁側からの剥離進行を抑制することができる。
【０００９】
したがって、靴底の上面における印刷領域と非印刷領域とを上述の如く工夫するだけの合理的な改造をもって、靴底の上面の広域を利用した効果的な装飾性を発揮させながらも、剥離を招来し難い形態で安価に製造することができる。
【００１０】
本発明による第２の特徴構成は、前記周縁上面部分が、前記靴底の上面の全周縁に沿って環状に構成されている点にある。
【００１１】
上記構成によれば、靴底の上面のうち、それの全周縁に沿う環状の周縁上面部分には印刷インク層が存在しないので、この全周縁に亘る周縁上面部分での融着によって靴全周での接合強度が高くなり、靴底と靴本体の底面部との全周における外周縁側からの剥離進行を効果的に抑制することができる。
【００１２】
本発明による第３の特徴構成は、前記図柄印刷領域中には、前記靴底と前記靴本体の底面部との融着面を構成する非印刷面が形成されている点にある。
【００１３】
上記構成によれば、図柄印刷領域中に形成された非印刷面をもって図柄の一部を構成するので、靴底と靴本体の底面部との融着面積の増大によって接合強度を高めることができる。
【００１４】
本発明による第４の特徴構成は、前記周縁上面部分のうち、剥離外力の作用頻度の高い部位が他の部位よりも幅広に構成されている点にある。
【００１５】
上記構成によれば、他物と衝突し易い靴先や歩行に伴って屈曲する屈曲部など、剥離外力の作用頻度の高い部位を幅広に構成するだけの簡単な改造をもって、靴底と靴本体の底面部との外周縁側からの剥離進行をより効果的に抑制することができる。
【図面の簡単な説明】
【００１６】
【図１】第１実施形態の靴の斜視図
【図２】靴本体と靴底とを分離状態で表した斜視図
【図３】靴の要部の拡大横断面図
【図４】靴底の平面図
【図５】靴本体の成形前（ａ）と成形後（ｂ）の模式図
【図６】第２実施形態の靴底の平面図
【発明を実施するための形態】
【００１７】
〔第１実施形態〕
図１〜図４は、合成樹脂製の靴の一例である浴室用靴を示す。この浴室用靴は、底面１ｂに波形等の防滑形状が形成されている発泡合成樹脂製の靴底１と、透明な軟質合成樹脂製の有底形状の靴本体２とを、当該靴本体２のブロー成形時に融着させて一体化してある。
【００１８】
ブロー成形される靴本体２は、図１、図２に示すように、靴底１の上面１ａと同一の輪郭形状に形成された底面部２Ａと、当該底面部２Ａの全周縁から連続して立ち上がるアッパー部２Ｂと、当該アッパー部２Ｂの足挿入口２Ｃの開口周縁から外方に延出される水の飛沫侵入防止用鍔部２Ｄとから構成され、この靴本体２の底面部２Ａと靴底１の上面１ａとが融着により接合されている。
【００１９】
靴底１の発泡合成樹脂としては、例えば低発泡のエチレン酢酸ビニル共重合樹脂材（ＥＶＡ）が用いられ、また、靴本体２の軟質の合成樹脂としては、例えば軟質のエチレン酢酸ビニル共重合樹脂材（ＥＶＡ）が用いられている。
【００２０】
靴底１の上面１ａのうち、それの全周縁に沿って同一又は略同一幅Ｗで環状に連続する周縁上面部分１Ａは、靴底１の上面１ａと靴本体２の底面部２Ａとを融着させるための融着面に構成されている。
靴底１の上面１ａにおける環状の周縁上面部分１Ａ以外の全領域、つまり、周縁上面部分１Ａの内方位置を区画形成する内側区画ラインＲ１で囲まれた内方側の全領域は、模様や数字等の図柄を印刷するための図柄印刷領域１Ｂに構成されている。
【００２１】
そして、上述のように、靴底１の上面１ａのうち、それの全周縁に沿う環状の周縁上面部分１Ａを除く残りの広域を図柄印刷領域１Ｂに設定することによって、この広域の図柄印刷領域１Ｂを全体が透明な靴本体２及び当該靴本体２の足挿入口２Ｃから自由に透視することができ、靴としての装飾効果を顕著に高めることができる。
【００２２】
この広域の図柄印刷領域１Ｂに印刷されるインク層が融着による接合力を弱める働きをするものの、ある程度の接合力は維持しており、しかも、靴底１の上面１ａのうち、それの全周縁に沿う環状の周縁上面部分１Ａにはインク層が存在しないので、この環状の周縁上面部分１Ａでの融着による接合強度が高く、靴底１と靴本体２の底面部２Ａとの全周における外周縁側からの剥離進行を効果的に抑制することができる。
【００２３】
また、図柄印刷領域１Ｂには、図４に示すように、図柄の一例である複数の花模様３が分散配置した状態で印刷されている。
花模様３の環状に連続する６枚の花びら部３ａは、印刷が施されていない周縁上面部分１Ａと同様に、インク層の存在しない白抜きで表示されている。
【００２４】
そのため、図柄印刷領域１Ｂ中には、分散配置されている複数の花模様３の花びら部３ａをもって、靴底１と靴本体２の底面部２Ａとを融着させるための融着面となる非印刷面６が構成されている。
【００２５】
また、インク層が存在する領域は、周縁上面部分１Ａの内方側を区画形成する内側区画ラインＲ１と花びら部３ａの輪郭区画線Ｒ２とで囲まれた着色表示の第１インク層形成領域４と、各花模様３の中心に円形の中心円区画線Ｒ３で区画形成された着色表示の第２インク層形成領域５とから構成されている。
【００２６】
そして、図柄印刷領域１Ｂ中に分散形成された非印刷面６である花びら部３ａをもって模様（図柄）の一部を構成するので、靴底１と靴本体２の底面部２Ａとの融着面積の増大によって接合強度を高めることができる。
【００２７】
特に、非印刷領域である環状の周縁上面部分１Ａと図柄印刷領域１Ｂ中の非印刷面６である花模様３の花びら部３ａとが連続する部位においては融着幅が広がるため、靴底１と靴本体２の底面部２Ａとの外周縁側からの剥離進行をより効果的に抑制することができる。
【００２８】
靴底１の上面１ａの図柄印刷領域１Ｂに印刷する方法としては種々の印刷方法が存在し、当該実施形態においては昇華転写印刷方法を採っている。
この昇華転写印刷方法では、昇華型インクを用いるプリンタで模様（図柄）を転写紙に鏡像印刷する。次に、転写紙の鏡像模様を靴底１の図柄印刷領域１Ｂに当て付け、ヒートプレス機にて熱と圧力を印加して、転写紙の鏡像模様を構成する昇華型インクを気化させて靴底１の図柄印刷領域１Ｂに模様を転写させる。
【００２９】
次に、浴室用靴のブロー成形方法を図５の模式図に基づいて簡単に説明する。
このブロー成形方法では、靴本体２を成形する分割金型７のキャビティ８のうち、成形される靴本体２の底面部２Ａと相対向する部位には、予め製作されている発泡合成樹脂製の靴底１を保持するためのインサート保持部９が形成されている。
【００３０】
型開き状態にある分割金型７のインサート保持部９に、靴底１をそれの上面１ａが成形される靴本体２の底面部２Ａと対面する向き姿勢で保持させる。この状態で分割金型７を型閉じし、分割金型７のキャビティ８内に透明な軟質合成樹脂の溶融パリソンを供給し、この溶融パリソン内に圧力空気を吹き込んで膨張させる。
【００３１】
膨張された溶融パリソンは、分割金型７の成形面７ａに密着して、有底形状の靴本体２が成形される。
この成形時に、成形された靴本体２の底面部２Ａとインサートされている靴底１の上面１ａとが融着により接合される。
【００３２】
ブロー成形後に、靴本体２の飛沫侵入防止用鍔部２Ｄに連続している非製品部分２Ｅを切断除去する。
【００３３】
尚、上述の実施形態では、非印刷領域である環状の周縁上面部分１Ａと同じく非印刷面６を構成する花模様３の花びら部３ａとを連続する形態で形成したが、この非印刷面６を構成する花模様３の花びら部３ａを、非印刷領域である環状の周縁上面部分１Ａから離した形態で形成してもよい。
【００３４】
〔第２実施形態〕
上述の第１実施形態では、靴底１の上面１ａにおける環状の周縁上面部分１Ａを、それの全周に沿って同一幅又は略同一幅に構成したが、図６に示す第２実施形態では、環状の周縁上面部分１Ａのうち、剥離外力の作用頻度の高い高頻度作用部位１Ａａの幅Ｗ１を、剥離外力の作用頻度の低い他の低頻度作用部位１Ａｂの幅Ｗ２よりも大に構成してある。
【００３５】
この実施形態の場合、剥離外力の作用頻度の高い高頻度作用部位１Ａａとして、他物と衝突する可能性の高いつま先相当部位と踵相当部位、及び、歩行時に屈曲し易い部位（親指の付け根と小指の付け根とを結ぶ線と交差する部位）を幅広に構成してある。
尚、その他の構成は、第１実施形態で説明した構成と同一であるから、同一の構成箇所には、第１実施形態と同一の番号を付記してそれの説明は省略する。
【００３６】
〔その他の実施形態〕
（１）上述の実施形態では、靴として浴室用靴を例に挙げて説明したが、他の水処理場や作業場等で使用される合成樹脂製の靴であってもよい。
【００３７】
（２）上述の実施形態では、靴底１の上面１ａの図柄印刷領域１Ｂに花模様３を印刷したが、この図柄印刷領域１Ｂには、格子模様や幾何学模様等の他の模様や柄等を任意に選択して印刷することができる。
【００３８】
（３）上述の実施形態では、図柄印刷領域１Ｂ中に、図柄の一部を構成する状態で靴底１と靴本体２の底面部２Ａとを融着させるための非印刷面６を分散形成したが、この非印刷面６は格子や縞等の図柄の一部を構成する形態で連続形成してもよい。
【００３９】
（４）上述の実施形態では、靴底１の上面１ａと靴本体２の底面部２Ａとを融着させるための融着面を構成する周縁上面部分１Ａを、靴底１の上面１ａの全周縁に沿って環状に連続形成したが、この周縁上面部分１Ａの一箇所又は複数個所が途切れる形態にして、周縁上面部分１Ａを靴底１の上面１ａの略全周縁に沿って形成する又は周縁に沿って断続形成してもよい。
【００４０】
（５）上述の実施形態では、靴本体２全体を透明に構成したが、靴本体２の底面部２Ａのみを透明に構成してもよい。
【００４１】
（６）上述の実施形態では、靴本体２をブロー成形で製作したが、射出成形で製作してもよい。
【００４２】
（７）上述の実施形態では、靴底１及び靴本体２をエチレン酢酸ビニル共重合樹脂から製作したが、靴底１及び靴本体２の合成樹脂材としては、靴本体２の樹脂成形時に、靴底１と靴本体２の底面部２Ａとを融着によって一体的に固着することのできる合成樹脂材の組み合わせであればよい。
【符号の説明】
【００４３】
１  ：靴底
１Ａ：周縁上面部分
１Ｂ：図柄印刷領域
１ａ：上面
２  ：靴本体
２Ａ：底面部
６  ：非印刷面
【図１】
2016030134.tif 000003
【図２】
2016030134.tif 000004
【図３】
2016030134.tif 000005
【図４】
2016030134.tif 000006
【図５】
2016030134.tif 000007
【図６】
2016030134.tif 000008